(57)【要約】【課題】  間接活線工具を用いてボルトのねじ部に容易に、短時間で、安全に取り付けることができるナットを提供する。【解決手段】  ボルト２５のねじ部２７に間接活線工具１５、２０を用いて取り付けられるナット１であって、柱状に形成される本体部２と、該本体部２の内面側に設けられるとともに、前記ボルト２５のねじ部２７を挿入させることにより、前記ボルト２５のねじ部２７に支持される落下防止部４ａと、該落下防止部４ｓに連続して設けられるとともに、前記ボルト２５のねじ部２７を螺合させる雌ねじ６とを備えている。【選択図】        図６
2015010649.tif 000002
【特許請求の範囲】
【請求項１】
ボルトのねじ部に間接活線工具を用いて取り付けられるナットであって、
柱状に形成される本体部と、該本体部の内面側に設けられるとともに、前記ボルトのねじ部を挿入させることにより、前記ボルトのねじ部に支持される落下防止部と、該落下防止部に連続して設けられるとともに、前記ボルトのねじ部を螺合させる雌ねじとを備えていることを特徴とするナット。
【請求項２】
前記本体部の外面には、前記間接活線工具の絶縁ヤットで把持可能な把持部が設けられていることを特徴とする請求項１に記載のナット。
【請求項３】
前記把持部の各面には、棒状の突起が前記把持部の外面から突出した状態で、かつ、前記本体部の軸線方向を向くように一体に設けられていることを特徴とする請求項２に記載のナット。
【請求項４】
前記本体部の外面の前記把持部に連続する部分には、前記間接活線工具のラチェットレンチのソケットに嵌合可能なレンチ取付部が設けられていることを特徴とする請求項２又は３に記載のナット。
【請求項５】
前記各突起の少なくとも前記レンチ取付部側の端部は、磁石によって構成されていることを特徴とする請求項４に記載のナット。
【請求項６】
前記レンチ取付部は、前記ラチェットレンチのソケットの深さと同一、又は前記ラチェットレンチのソケットの深さよりも短くなるように、長さが設定されていることを特徴とする請求項５に記載のナット。
【請求項７】
前記本体部の前記把持部の端面には、前記本体部よりも大径の円板状のワッシャー部が一体に設けられていることを特徴とする請求項１〜４の何れか１項に記載のナット。
【発明の詳細な説明】
【技術分野】
【０００１】
本発明は、ナットに関し、特に、高圧電線路の近接限界距離内において、間接活線工具を用いて腕金等に対象物をボルト、ナットにより取り付ける際に適用されるナットに関する。
【背景技術】
【０００２】
従来、高圧電線路の近接限界距離内において、間接活線工具を用いて腕金等に取付対象物をボルト、ナットにより取り付ける場合、腕金等に取り付けられたボルトに間接活線工具を用いてナットを締め付け、腕金等に対象物をボルト、ナットにより取り付けている。
【０００３】
例えば、間接活線工具として絶縁棒の先端にラチェットレンチを取り付けたものを用い、この間接活栓工具のラチェットレンチのソケットにナットを嵌合させ、近接限界距離外から絶縁棒を操作することにより、腕金等に取り付けたボルトにナットを締め付け、腕金等に対象物をボルト、ナットにより取り付けている。
【０００４】
また、間接活線工具として絶縁ヤットを用い、絶縁ヤットコの把持部でナットを把持し、近接限界距離外から絶縁ヤットコの操作棒を操作することにより、腕金等に取り付けたボルトにナットを締め付け、腕金等に対象物をボルト、ナットにより取り付けている。
【０００５】
間接活線工具に絶縁棒にラチェットレンチを取り付けたものを用いる場合には、ナットがラチェットレンチのソケットから落下するのを防止するために、ナットが水平よりも上向きとなるようにラチェットレンチの向きを調整し、この状態を保ちながら絶縁棒を操作する必要があるため、ボルトへのナットの取り付け作業に非常に手間がかかる。
【０００６】
また、充電部等が周囲に存在するような狭隘な作業場所では、絶縁棒の操作可能な範囲が狭い範囲内に制限されるため、ボルトへのナットの取り付けに熟練を要し、経験の浅い作業者では、ラチェットレンチの向きを保ち続けることが困難になってソケットからナットを落下させたり、ラチェットレンチの一部を充電部に接触させて、地絡、短絡等の不測の事故を起こす心配がある。
【０００７】
また、間接活線工具に絶縁ヤットコを用いる場合には、絶縁ヤットコの把持部によりナットを把持し、離すことを繰り返すことにより、ナットを締め付け方向に回転させて、ナットをボルトに締め付ける必要があり、その作業を近接限界距離外から行う必要があるため、その作業に非常に手間がかかる。
【０００８】
また、充電部等が周囲に存在するような狭隘な作業場所では、絶縁棒の操作可能な範囲が狭い範囲内に制限されるため、ボルトへのナットの取り付けに熟練を要し、経験の浅い作業者では、ナットをボルトに螺合させる最初の段階で絶ヤットコの把持部からナットを落下させたり、絶縁ヤットコの把持部を充電部に接触させて、地絡、短絡等の事故を起こす心配がある。
【０００９】
特許文献１、２には、ナットの落下防止に関する技術が記載されている。特許文献１に記載の技術は、ナットを嵌め込むナット保持部とボルト穴挿入部を一体的に有する脱落防止用キャップを用い、この脱落防止用キャップのナット保持部にナットを嵌合させた状態で、反対側のボルト穴挿入部をボルト穴に挿入することにより、ナットを脱落防止用キャップを介してボルト穴の開口部に保持し、ナットを支えることなくナットをボルトに螺合させることができるように構成したものである。
【００１０】
また、特許文献２に記載の技術は、ボルトの先端部にナットの内径より小さい外径のナット誘導部を設け、ナット誘導部をナットに挿入することにより、ナットがボルトから脱落するのを防止し、この状態で、ナットをボルトのねじ部の先端部に誘導して、ねじ部に螺合させるように構成したものである。
【００１１】
しかし、特許文献１、２の記載の技術を高圧電線路の近接限界距離内において、間接活線工具を用いて腕金等に対象物をボルト、ナットにより取り付ける場合に適用しても、上述した間接活線工具を用いた場合の問題点を完全に解消することはできない。
【先行技術文献】
【特許文献】
【００１２】
【特許文献１】特開平１０−７８０１８号公報
【特許文献２】特開２００７−９２９２５号公報
【発明の概要】
【発明が解決しようとする課題】
【００１３】
本発明は、上記のような従来の問題に鑑みなされたものであって、高圧電線路の近接限界距離内において、間接活線工具を用いて腕金等に対象物をボルト、ナットにより取り付ける場合に、ナットを落下させることなく、容易、短時間で、安全にボルトに取り付けることができるようにすることを目的とする。
【課題を解決するための手段】
【００１４】
上記のような課題を解決するために、本発明は、以下のような手段を採用している。
すなわち、本発明は、ボルトのねじ部に間接活線工具を用いて取り付けられるナットであって、柱状に形成される本体部と、該本体部の内面側に設けられるとともに、前記ボルトのねじ部を挿入させることにより、前記ボルトのねじ部に支持される落下防止部と、該落下防止部に連続して設けられるとともに、前記ボルトのねじ部を螺合させる雌ねじとを備えていることを特徴とする。
【００１５】
本発明のナットによれば、間接活線工具で本体部を把持し、間接活線工具を操作して、本体部の内面側の落下防止部にボルトのねじ部を挿入させることにより、ボルトのねじ部に落下防止部を介して本体部が支持され、ボルトのねじ部からナットが落下するのが防止される。そして、この状態で間接活線工具を操作して、ナットを締め付け方向に回転させることにより、ボルトのねじ部を本体部の雌ねじに螺合させることができ、ナットを落下させることなくボルトに取り付けることができる。
【００１６】
また、本発明において、前記本体部の外面には、前記間接活線工具の絶縁ヤットで把持可能な把持部が設けられていることとしてもよい。
【００１７】
本発明によるナットによれば、本体部の外面の把持部を間接活線工具の絶縁ヤットコで把持し、絶縁ヤットコを操作して、本体部の内面側の落下防止部にボルトのねじ部を挿入させることにより、ボルトのねじ部に落下防止部を介して本体部を支持することができ、この状態で絶縁ヤットコを操作して、ナットを締め付け方向に回転させることにより、ボルトのねじ部を本体部の雌ねじに螺合させることができ、ナットを落下させることなくボルトに取り付けることができる。
【００１８】
また、本発明において、前記把持部の各面には、棒状の突起が前記把持部の外面から突出した状態で、かつ、前記本体部の軸線方向を向くように一体に設けられていることとしてもよい。
【００１９】
本発明のナットによれば、間接活線工具の絶縁ヤットコで把持部を把持して、絶縁ヤットコを操作してナットの締め付ける方向に本体部を回転させる際に、把持部の外面から突出している突起を絶縁ヤットコに引っ掛けることにより、絶縁ヤットコと把持部との間に滑りが生じるのを防止できる。
【００２０】
また、本発明において、前記本体部の外面の前記把持部に連続する部分には、前記間接活線工具のラチェットレンチのソケットに嵌合可能なレンチ取付部が設けられていることとしてもよい。
【００２１】
本発明のナットによれば、ナットのボルトのねじ部からの落下を防止した状態で、本体部のレンチ取付部を間接活線工具のラチェットレンチのソケットに嵌合させ、間接活線工具のラチェットレンチを操作して、ソケットをナットの締め付け方向に回転させることにより、ボルトのねじ部をナットの本体部の雌ねじに螺合させることができ、ナットをボルトに取り付けることができる。
【００２２】
また、本発明において、前記各突起の少なくとも前記レンチ取付部側の端部は、磁石によって構成されていることとしてもよい。
【００２３】
本発明のナットによれば、本体部のレンチ取付部をラチェットレンチのソケットに嵌合させた場合に、各突起の端部の磁石をソケットに磁着させることにより、レンチ取付部をソケット内に固定することができ、ソケットからナットが脱落するのを防止できる。
【００２４】
また、本発明において、前記レンチ取付部は、前記ラチェットレンチのソケットの深さと同一、又は前記ラチェットレンチのソケットの深さよりも短くなるように、長さが設定されていることとしてもよい。
【００２５】
本発明によるナットによれば、ラチェットレンチのソケット内からレンチ取付部が脱落するのを防止できる。また、各突起の端部の磁石にラチェットレンチのソケットを確実に磁着させることができる。
【００２６】
また、本発明において、前記本体部の前記把持部の端面には、前記本体部よりも大径の円板状のワッシャー部が一体に設けられていることとしてもよい。
【００２７】
本発明のナットによれば、ワッシャー部により、ナットの座面を保護し、ナットの緩みを防止でき、或いは、気密性を保持する等の機能を付与することができる。
【発明の効果】
【００２８】
以上、説明したように、本発明のナットによれば、間接活線工具によりボルトのねじ部に取り付ける際に、ボルトのねじ部を本体部の落下防止部に挿入させることにより、ボルトのねじ部からナットが落下するのを防止でき、この状態でナットの本体部の雌ねじにボルトのねじ部を螺合させることができる。従って、間接活線工具を用いてナットをボルトのねじ部に取り付ける作業を容易に、短時間で、安全に行うことができる。
【図面の簡単な説明】
【００２９】
【図１】本発明によるナットの第１の実施の形態を示した平面図である。
【図２】図１の断面図である。
【図３】図１の右側面図である。
【図４】ナットの取り付け手順を示した説明図であって、ボルトのねじ部をナットの落下防止部に挿入させた状態を示した説明図である。
【図５】ナットの取り付け手順を示した説明図であって、間接活線工具の絶縁ヤットコにより、ボルトのねじ部の最初の２〜３山にナットの雌ねじの最初の２〜３山を螺合させた状態を示した説明図である。
【図６】ナットの取り付け手順を示した説明図であって、間接活線工具のラチェットレンチにより、ボルトのねじ部にナットを完全に締め付けた状態を示した説明図である。
【図７】本発明によるナットの第２の実施の形態を示した平面図である。
【図８】図７の断面図である。
【図９】図７の右側面図である。
【図１０】本発明によるナットの第３の実施の形態を示した平面図である。
【図１１】図１０の断面図である。
【発明を実施するための形態】
【００３０】
以下、図面を参照しながら本発明の実施の形態について説明する。
図１〜図６には、本発明によるナットの第１の実施の形態が示されている。本実施の形態のナット１は、例えば、図４〜図６に示すように、高圧電線路の近接限界距離内において、間接活線工法により腕金等の支持物３０に取付対象物３１をボルト２５、ナット１により取り付ける場合に適用され、支持物３０、及び取付対象物３１に取り付けられたボルト２５に間接活線工具１５、２０を用いて取り付けるのに有効なものである。
【００３１】
本実施の形態のナット１は、図１〜３に示すように、金属製の六角柱状の本体部２の中央に、軸線方向に貫通する円形断面の貫通孔設け、この貫通孔の内面を大径部４と大径部４よりも小径の小径部５の２段に形成し、小径部５の内面に所定の雌ねじ６を螺設したものである。
なお、本体部２は、六角柱状に限らず、四角柱状、八角柱状等の角柱状、円柱状等としてもよい。
【００３２】
大径部４は、ナット１をボルト２５に取り付ける際に、ボルト２５のねじ部２７を先端から所定の位置まで挿入させることにより、ボルト２５のねじ部２７からナット１が落下するのを防止する落下防止部４ａとしての機能を有している。
【００３３】
落下防止部４ａは、その内側にボルト２５のねじ部２７の先端部を挿入させた状態で、ナット１から間接活線工具１５、２０を外してナット１が傾いた場合にも、ボルト２５のねじ部２７の先端部が落下防止部４ａの内面に干渉することにより、ナットがボルト２５から落下するのを防止できるように、内径及び長さが設定されている。
【００３４】
本体部２の図１、図２中左端には、本体部２よりも大径の円板状のワッシャー部７が、周縁部が本体部２の外面から外方に環状に張り出るように、かつ、中心が本体部２の中心に一致するように一体に設けられている。ワッシャー部７の中央には、大径部４に連通する大径部４と同径の孔７ａが貫通した状態で設けられている。ワッシャー部７は、機械加工によって本体部２と一体に形成してもよいし、本体部２と別体に形成した上で、溶接、接着剤等の接合手段によって本体部２に一体に接合してもよい。
なお、ワッシャー部７は、ナット１の座面の保護、ナット１の緩み防止、気密性の保持等の機能を付与することが不要な場合には設ける必要はない。
【００３５】
本体部２の外面のうち、落下防止部４ａに対応する部分は、間接活線工具１５の絶縁ヤットコ１６の把持部１８で把持するためのヤットコ把持部９として機能し、雌ねじ６に対応する部分は、間接活線工具２０のラチェットレンチ２１のソケット２２に嵌合させるためのレンチ取付部１１として機能する。
【００３６】
ヤットコ把持部９は、絶縁ヤットコ１６の把持部１８で把持し易くするために、絶縁ヤットコ１６の把持部１８の幅と同一、又はやや長くなるように長さが設定されている。
【００３７】
レンチ取付部１１の長さは、ラチェットレンチ２１のソケット２２の深さと同一か、又は、ソケット２２の深さよりも僅かに短く設定されている。
【００３８】
上記のように構成した本実施の形態のナット１を用いて、間接活線工法により支持物３０に取付対象物３１をボルト２５、ナット１により取り付けるには、まず、図４に示すように、支持物３０及び取付対象物３１の取付孔３２内にボルト２５のねじ部２７を挿通させて、ボルト２５の頭部２６を支持物３０に当接させ、ボルト２５のねじ部２７を取付対象物３１から図中右方向に突出させる。
【００３９】
次に、図４に示すように、間接活線工具１５としての絶縁ヤットコ１６を用い、絶縁ヤットコ１６の把持部１８でナット１のヤットコ把持部９を把持し、絶縁ヤットコ１６の操作棒１７を操作することにより、ナット１をボルト２５に接近させて、ナット１の落下防止部４ａ内にボルト２５のねじ部２７の先端部を挿入し、ねじ部２７の先端をナット１の雌ねじ６の入口に当接させる。これにより、ナット１が落下防止部４ａを介してボルト２５のねじ部２７に支持され、ナット１がボルト２５のねじ部２７から脱落するのが防止される。
【００４０】
次に、図５に示すように、絶縁ヤットコ１６の操作棒１７を操作して、ナット１を締め付け方向（図５の矢印方向）に回転させることにより、ナット１の雌ねじ６の最初の２〜３山をボルト２５のねじ部２７の先端の最初の２〜３山に螺合させる。
【００４１】
次に、図６に示すように、間接活線工具２０としてのラチェットレンチ２１を用い、絶縁棒２３を操作することにより、ラチェットレンチ２１のソケット２２をナット１に接近させて、ソケット２２内にナット１のレンチ取付部１１を嵌合させる。
【００４２】
そして、この状態で絶縁棒２３を操作して、ラチェットレンチ２１のソケット２２をナット１の締め付け方向（図６の矢印方向）に回転させることにより、ナット１をボルト２５のねじ部２７に締め付ける。これにより、ボルト２５、ナット１を介して取付対象物３１を支持物３０に取り付けることができる。
【００４３】
上記のように構成した本実施の形態のナット１にあっては、ヤットコ把持部９を絶縁ヤットコ１６の把持部１８で把持し、この状態で操作棒１７を操作して支持物３０及び取付対象物３１に取り付けられたボルト２５に接近させ、ボルト２５のねじ部２７の先端部を落下防止部４ａに挿入させることにより、ボルト２５のねじ部２７にナット１全体が支持され、ボルト２５のねじ部２７からナット１が落下するのが防止される。そして、この状態で、レンチ取付部１１をラチェットレンチ２１のソケット２２内に嵌合させて、絶縁棒２３を操作して、ラチェットレンチ２１のソケット２２をナット１の締め付け方向に回転させることにより、ボルト２５のねじ部２７に締め付けることができる。
【００４４】
従って、ナット１をボルト２５のねじ部２７へ取り付ける際に、ナット１がボルト２５のねじ部２７から脱落する心配がないので、ナット１のボルト２５のねじ部２７への取り付け作業を容易に、短時間で行うことができる。
【００４５】
また、最初に絶縁ヤットコ１６により、ナット１をボルト２５のねじ部２７に接近させて、落下防止部４ａにボルト２５のねじ部２７を挿入させることにより、ボルト２５のねじ部２７からの脱落を防止できるので、ラチェットレンチ２１のソケット２２からナット１が落下しないようにラチェットレンチ２１のソケット２２の向きを水平よりも上向きに保つために神経を使う必要はなく、経験の浅い作業者であっても、ラチェットレンチ２１のソケット２２からナット１を脱落させるようなことはない。
【００４６】
また、充電部等が周囲に存在するような狭隘な作業場所においても、ナット１の落下防止部４ａにボルト２５のねじ部２７を挿入させて、ボルト２５のねじ部２７でナット１を支持した状態で、ラチェットレンチ２１のソケット２２をナット１の締め付け方向に回転させるように絶縁棒２３を操作すればよいので、経験の浅い作業者であっても、ナット１をソケット２２から落下させたり、絶縁ヤットコ１６の把持部１８やラチェットレンチ２１を充電部に接触させて、地絡、短絡等の事故を起こすようなことはなく、安全に作業を行うことができる。
【００４７】
図７〜図９には、本発明によるナットの第２の実施の形態が示されている。本実施の形態のナット１は、ヤットコ把持部９の各面２ａ〜２ｆの中央部に、四角形断面の棒状の突起１０を外方に突出した状態で、かつ、軸線が本体部２の軸線方向を向くように、一体に設けたものであって、その他の構成は前記第１の実施の形態に示すものと同様である。
【００４８】
この場合、各突起１０は、本体部２の各面２ａ〜２ｆに溶接、接着剤等の接合手段によって一体に接合されている。各突起１０は、四角形断面に限らず、その他の多角形断面、円形断面等としてもよい。
【００４９】
そして、本実施の形態のナット１にあっても、前記第１の実施の形態に示すものと同様の作用効果を奏する他に、ヤットコ把持部９の各面２ａ〜２ｆに突起１０を設けたことにより、絶縁ヤットコ１６の把持部１８でヤットコ把持部９を把持し、操作棒１７を操作してナット１を締め付け方向に回転させる場合に、各突起１０を絶縁ヤットコ１６の把持部１８の内面に引っ掛けた状態で、絶縁ヤットコ１６の把持部１８をナット１の締め付ける方向に回転させることができる。従って、絶縁ヤットコ１６の把持部１８とヤットコ把持部９との間に滑りが生じるのを防止でき、ナット１の雌ねじ６の最初の２〜３山にボルト２５のねじ部２７の最初の２〜３山を容易に螺合させることができる。
【００５０】
なお、本実施の形態のナット１を使用する場合に、絶縁ヤットコ１６でヤットコ把持部９を把持しながら、ボルト２５のねじ部２７にナット１の雌ねじ６をほぼ締め付け、最後に増し締めする際に、ナット１のレンチ取付部１１にラチェットレンチ２１のソケット２２を取り付けて、ラチェット２１により所定のトルクで締め付けるように構成してもよい。
【００５１】
図１０及び図１１には、本発明によるナット１の第３の実施の形態が示されている。本実施の形態のナット１は、ヤットコ把持部９の各面２ａ〜２ｆに設けた突起１０の端部に磁石１０ａを設けたものであって、その他の構成は前記第２の実施の形態に示すものと同様である。
【００５２】
そして、本実施の形態のナット１にあっても、前記第１及び第２の実施の形態に示すものと同様の作用効果を奏する他に、ヤットコ把持部９の各突起１０の端部に磁石１０ａを設けたことにより、ラチェットレンチ２１のソケット２２内にナット１のレンチ取付部１１を嵌合させた場合に、ヤットコ把持部９の各突起１０の端面がソケット２２に接触することにより、各突起１０が磁石１０ａを介してソケット２２に磁着される。従って、ナット１のレンチ取付部１１がソケット２２に嵌合された状態に保持されることになり、ナット１がソケット２２から脱落するのをより効果的に防止できる。
【００５３】
また、レンチ取付部１１の長さは、ラチェットレンチ２１のソケット２２の深さと同一か、ソケット２２の深さよりも僅かに短く設定されているので、レンチ取付部１１をソケット２２に嵌合させた場合に、各突起１０の端面をレンチ２２に確実に接触させて、レンチ取付部１１をソケット２２に確実に磁着させることができる。
【００５４】
なお、本実施の形態においては、各突起１０の端部に磁石１０ａを設けたが、各突起１０の全体を磁石１０ａで構成してもよい。
【００５５】
また、各突起１０の端部に磁石１０ａを設ける代わりに、各突起１０を磁性体で構成して、ラチェットレンチ２１のソケット２２を磁石で構成するように構成してもよい。
【００５６】
なお、前記各実施の形態においては、高圧電線路の近接限界距離内において、間接活線工法により腕金等の支持物３０に取付対象物３１をボルト２５、ナット１により取り付ける場合に適用したが、その他の各種の支持物３０に取付対象物３１をボルト２５、ナット１により取り付ける場合に本発明を適用してもよい。
【符号の説明】
【００５７】
１  ナット
２  本体部
２ａ〜２ｆ  面
４  大径部
４ａ  落下防止部
５  小径部
６  雌ねじ
７  ワッシャー部
７ａ  孔
９  ヤットコ把持部
１０  突起
１０ａ  磁石
１１  レンチ取付部
１５  間接活線工具
１６  絶縁ヤットコ
１７  操作棒
１８  把持部
２０  間接活線工具
２１  ラチェットレンチ
２２  ソケット
２３  絶縁棒
２５  ボルト
２６  頭部
２７  ねじ部
３０  支持物
３１  取付対象物
３２  取付孔
【図１】
2015010649.tif 000003
【図２】
2015010649.tif 000004
【図３】
2015010649.tif 000005
【図４】
2015010649.tif 000006
【図５】
2015010649.tif 000007
【図６】
2015010649.tif 000008
【図７】
2015010649.tif 000009
【図８】
2015010649.tif 000010
【図９】
2015010649.tif 000011
【図１０】
2015010649.tif 000012
【図１１】
2015010649.tif 000013